(57)【要約】【課題】手摺りの中間の位置に設けられる手摺り止め金具に対してもフランジカバーを装着できるようにし、安全性、デザイン性及びデザインの統一性に優れ、しかも手摺り止め金具のコスト削減にも貢献し、何らの工具を使用することなく簡単に装着できるフランジカバー及び手摺り止め金具並びに手摺りを提供する。【解決手段】フランジカバー２１は、手摺り止め金具１１のフランジ部１３を直接覆い隠すカバー本体２７と、カバー本体２７を手摺り止め金具１１に固定する固定パッキン２９とを備え、このうちカバー本体２７は複数のカバー要素２３、２５を組み合わせることによって構成される分割式の構造を有している。また本発明の手摺り止め金具１１及び手摺り１は上記構成のフランジカバー２１を備えている。【選択図】              図２
2004190372.tif 000002
【特許請求の範囲】
【請求項１】
手摺り止め金具のフランジ部を覆い隠すカバー本体と、カバー本体を手摺り止め金具に固定する固定パッキンとを備え、このうちカバー本体は複数のカバー要素を組み合わせることによって構成される分割式の構造を有していることを特徴とする手摺りのフランジカバー。
【請求項２】
請求項１に記載のフランジカバーにおいて、カバー本体はほぼ対称な形状を有する平面視半円環状の２つのカバー要素を組み合わせることによって構成されており、一方のカバー要素の接合部にはクリップ部が設けられ、他方のカバー要素の接合部にはクリップ部によって挟持される係止爪が設けられていることを特徴とする手摺りのフランジカバー。
【請求項３】
請求項１または２に記載のフランジカバーにおいて、固定パッキンは手摺り止め金具のフランジ部から立ち上がるシャフト部とカバー本体との隙間に圧入される圧入スリーブと、圧入スリーブの上端から外方に向けて張り出すフランジ状の係止縁部とを備えており、且つ、これらの一部には周方向の連続性を分断する切込み部が形成されており、この切込み部を拡開することで圧入スリーブ及び係止縁部を撓み変形させて手摺り止め金具に装着するように構成したことを特徴とする手摺りのフランジカバー。
【請求項４】
請求項１〜３のいずれかに記載のフランジカバーにおいて、固定パッキンは適宜の弾性力を有する合成ゴムによって構成されていることを特徴とする手摺りのフランジカバー。
【発明の詳細な説明】
【０００１】
【発明の属する技術分野】
本発明は、例えば階段や廊下あるいは浴室やトイレ等においてお年寄りや体の不自由な人が安心して歩行等ができるように設けられる手摺りに係り、特に手摺り止め金具のフランジ部に設けられるフランジカバーに関するものである。
【０００２】
【従来の技術】
図６に示すような手摺り止め金具１０１を一体に備えた手摺り１０３にあっては、両端の手摺り止め金具１０１におけるフランジ部１０５に対して、円環状のフランジカバー１０７が設けられている。フランジカバー１０７は手摺り１０３に対して摺動自在に移動できる状態で外嵌めされており、フランジ部１０５が固定ビスによって壁面等に固定された後にフランジ部１０５側に移動してフランジ部１０５を覆い隠すように取り付けられる。
フランジカバー１０７は固定ビスの頭に形成されているドライバー係合溝のエッジ部分等にバリ等が生じている場合において、使用者がそのバリ等に触れることによって指先等を傷付けることのないよう安全対策上の観点から設けられるものである。また固定ビスの頭や溶接部位等を覆い隠すことによって外観をすっきりさせるというデザイン的効果もある。
【０００３】
また、手摺り１０３の中間の位置にも他の手摺り止め金具１０９が設けられている。この手摺り止め金具１０９にはフランジ部１１１から立ち上がるシャフト部１１３の長さをあまり長く設定できないこともあって、フランジカバー１０７は設けられていない。
即ち、フランジカバー１０７をシャフト部１１３に対して摺動自在に移動できる状態で装着したとしてもフランジカバー１０７が邪魔になって、固定ビスのドライバー係合溝に垂直にドライバーを差し込むことができず、フランジ部１１１を壁面等に固定するビス止め作業が実質的に不可能となるからである。
従って、この部分では固定ビスの頭が露出した状態になっており、安全対策上ないしデザイン上の両面で好ましい形態とはなっていなかった。また両端の手摺り止め金具１０１にはフランジカバー１０７が設けられているのに中間の手摺り止め金具１０９にはフランジカバー１０７が設けられていないというのも不自然であり、デザインの統一性の観点でも好ましい形態とは言えなかった。
【０００４】
またフランジ部１１１が露出することから、フランジ部１１１とシャフト部１１３との溶接は図７に示すように外部から視認できないフランジ部１１１の背面側において行なわれていた（溶接部位をＪで示す）。この場合、予めフランジ部１１１にシャフト部１１３を受け入れる穴部を形成しておき、その穴部にシャフト部１１３の端部を嵌め込んだ状態で溶接することになる。
このような溶接は図４に示すように正面側から行なう隅肉溶接に比べて困難であり、手摺り止め金具１０９のコスト削減を妨げる一つの要因となっていた。
【０００５】
【発明が解決しようとする課題】
本発明は手摺りの中間の位置に設けられる手摺り止め金具に対してもフランジカバーを装着できるようにし、安全性、デザイン性及びデザインの統一性に優れ、しかも手摺り止め金具のコスト削減にも貢献し、何らの工具を使用することなく簡単に装着できるフランジカバーを提供することを目的とするものである。
【０００６】
【課題を解決するための手段】
上記課題を解決するために請求項１記載の発明は、手摺り止め金具のフランジ部を覆い隠すカバー本体と、カバー本体を手摺り止め金具に固定する固定パッキンとを備え、このうちカバー本体は複数のカバー要素を組み合わせることによって構成される分割式の構造を有していることを特徴とする手摺りのフランジカバーである。
【０００７】
請求項２記載の発明は、請求項１に記載のフランジカバーにおいて、カバー本体はほぼ対称な形状を有する平面視半円環状の２つのカバー要素を組み合わせることによって構成されており、一方のカバー要素の接合部にはクリップ部が設けられ、他方のカバー要素の接合部にはクリップ部によって挟持される係止爪が設けられていることを特徴とする手摺りのフランジカバーである。
【０００８】
請求項３記載の発明は、請求項１または２に記載のフランジカバーにおいて、固定パッキンは手摺り止め金具のフランジ部から立ち上がるシャフト部とカバー本体との隙間に圧入される圧入スリーブと、圧入スリーブの上端から外方に向けて張り出すフランジ状の係止縁部とを備えており、且つ、これらの一部には周方向の連続性を分断する切込み部が形成されており、この切込み部を拡開することで圧入スリーブ及び係止縁部を撓み変形させて手摺り止め金具に装着するように構成したことを特徴とする手摺りのフランジカバーである。
【０００９】
請求項４記載の発明は、請求項１〜３のいずれかに記載のフランジカバーにおいて、固定パッキンは適宜の弾性力を有する合成ゴムによって構成されていることを特徴とする手摺りのフランジカバーである。
【００１０】
【発明の実施の形態】
以下、本発明の実施の形態について説明する。
以下の説明では手摺り止め金具を一体に備えた手摺りを例に採り、手摺りの全体の構成、手摺りの中間に設けられる手摺り止め金具の構成及びこの手摺り止め金具に対して装着されるフランジカバーの具体的な構成について説明する。
図１に示すように、手摺り１は円形断面の丸パイプをＬ字形に折り曲げた形状を有している。手摺り１の両端部は壁面Ｗ側に９０°更に折り曲げられ、その端面には手摺り止め金具３として機能する円板状のフランジ部５が設けられている。
【００１１】
フランジ部５には３ヶ所にビス穴７が設けられていて、固定ビス９によってフランジ部５は壁面Ｗの適宜の位置に固定される。
手摺り１の中間の位置には、手摺り１に対して摺動自在に取付位置を可変できる移動式の手摺り止め金具１１が設けられている。この手摺り止め金具１１は両端に設けられるフランジ部５と同様のフランジ部１３と、フランジ部１３から垂直に立ち上がるシャフト部１５と、シャフト部１５の先端に設けられるホルダ部１７とを備えている。
【００１２】
フランジ部１３にはフランジ部５と同様、３ヶ所にビス穴１９が設けられており、手摺り１の長さ等によって規制される摺動範囲内において、フランジ部１３は適宜の位置に移動でき、固定ビス９によって壁面Ｗに対して固定される。
シャフト部１５は手摺り１と同様、円形断面の丸パイプを使用し、高さが６５ｍｍ程度の直管状の部材である。シャフト部１５の基部はフランジ部１３に対して図４に示すように隅肉溶接されている（溶接部位をＪで示す）。
本実施の形態ではフランジ部１３はフランジカバー２１によって完全に覆い隠されるため、溶接部位の外観は問題にならない。そこで接合作業が比較的容易な隅肉溶接を採用している。
【００１３】
ホルダ部１７は手摺り１と同様の円形断面を有する丸パイプによって形成されており、手摺り１に対して摺動自在に移動できるように手摺り１の外径より幾分大きな内径を有する。ホルダ部１７はシャフト部１５に対して直交する状態で溶接されている。
そしてこのような手摺り止め金具１１ないし上記両端の手摺り止め金具３に対して本発明の特徴的構成をなすフランジカバー２１が設けられる。以下の説明では中間に位置する手摺り止め金具１１に対してフランジカバー２１を装着する場合を例にとって説明する。
【００１４】
フランジカバー２１はほぼ対称な形状を有する平面視半円環状の２つのカバー要素２３、２５を組み合わせることによって構成される分割式のカバー本体２７と、カバー本体２７を手摺り止め金具１１に対して固定する際に使用される固定パッキン２９とを備えている。
カバー要素２３、２５は組み合わせた状態でフランジ部１３を完全に覆い隠すことができるよう、フランジ部１３の外径より幾分大きな内径を有する外周側胴部３１と、シャフト部１５に対して摺動自在に移動できるよう、シャフト部１３の外径より幾分大きな内径を有する内周側胴部３３と、外周側胴部３１と内周側胴部３３を連接するコーン状のテーパ連接部３５とを有している。
【００１５】
カバー要素２３、２５の接合部となるテーパ連接部３５の端部には、カバー要素２３に対してはクリップ部３７が、カバー要素２５に対しては係止爪３９がそれぞれ設けられている。
クリップ部３７は平板状の部材をＵ字状ないし凹字状に折り曲げ、屈曲部を挟んで折り返される部分を板バネ様の作用をする挟持翼片４１として使用したものである。クリップ部３７はテーパ連接部３５の端部に半田付け等によって後付けしてもよいし、テーパ連接部３５の端部を延長形成し、延長形成した部分を折り曲げることによって形成してもよい。
また係止爪３９はテーパ連接部３５の端部を延長形成し、延長形成した部分を内側に垂直に折り曲げることによって形成されている。
クリップ部３７の挟持翼片４１の端部は幾分外側に拡開するように折り曲げられており、係止爪３９の挿入を容易にしている。また係止爪３９のコーナー部は斜めにカットされており、クリップ部３７への挿入を容易にしている。
【００１６】
固定パッキン２９は手摺り止め金具１１のフランジ部１３から立ち上がるシャフト部１５とカバー本体２７との隙間に圧入される圧入スリーブ４３と、圧入スリーブ４３の上端から外方に向けて張り出すフランジ状の係止縁部４５とを備えている。これらの一部には周方向の連続性を分断する切込み部４７が形成されており、この切込み部４７を拡開することで圧入スリーブ４３及び係止縁部４５を撓み変形させて手摺り止め金具１１に装着できるようになっている。
また固定パッキン２９を装着した後、切込み部４７には適宜の接着剤が塗布ないし注入され、固定パッキン２９はリング状に接合される。
固定パッキン２９の材料としては、適宜の弾性力を有する合成ゴムが一例として使用でき、カバー本体２７の材料としてはステンレス鋼板等の金属製薄肉板材が一例として使用できる。
【００１７】
次に、手摺り１を壁面Ｗに設置する場合の作業手順について説明する。
設置する手摺り１の取付高さ、取付位置、取付角度を決め、最初に両端の手摺り止め金具３のフランジ部５を固定ビス９を用いて壁面Ｗの適宜の位置に固定する。そして中間に位置する手摺り止め金具１１を手摺り１に沿ってスライドさせ、フランジ部１３の固定位置を決め、固定ビス９を使用してフランジ部１３を壁面Ｗに固定する。
この段階ではフランジカバー２１はまだ取り付けられていないから固定ビス９のビス止め作業を妨げる障害は存在せず、円滑にビス止め作業が行われる。
【００１８】
次に一組のカバー要素２３、２５を、シャフト部１５を挟むように左右からあてがい、カバー要素２５における係止爪３９をカバー要素２３におけるクリップ部３７に挿入し、係止させてカバー要素２３、２５を接合する。カバー要素２３、２５が組み合わされ円環状になったカバー本体２７はフランジ部１３を覆い隠す位置まで移動される。
そして固定パッキンン２９の切込み部４７を外側に拡開させることによって固定パッキン２９を撓ませ、切込み部４７間に開口部を形成する。形成された開口部から固定パッキン２９を、シャフト部を包むように進入させ、切込み部４７の拡開を解除すれば固定パッキン２９はシャフト部１５に対して摺動自在に外嵌めされた状態で装着される。
【００１９】
装着した固定パッキン２９をフランジ部１３側に移動させ、内周側胴部３３とシャフト部１５との隙間に圧入スリーブ４３を圧入して、係止縁部４５を内周側胴部３３の上面に当接させ、係止させる。
そして、フランジカバー２１を外すことがない場合には、切込み部４７に対し接着剤を塗布ないし注入し、カバー要素２３とカバー要素２５とを接着する。
【００２０】
以上、本発明の実施の形態について詳述してきたが、具体的な構成はこの実施の形態に限られるものではなく、本発明の要旨を逸脱しない範囲における設計の変更などがあっても本発明に含まれる。
例えば、手摺り１を両端に手摺り止め金具３を有しない、単なる直棒状に構成することも可能である。この場合には複数の移動式の手摺り止め金具１１を使用し、図５に示すような形態で手摺り１を壁面Ｗ等に固定する。図示の実施の形態ではホルダ部１７に対してもビス穴４９が設けられており、このビス穴４９を利用して固定ビス９によって手摺り１はホルダ部１７に固定されている。
【００２１】
手摺り１を設置する個所としては室内の壁面Ｗに限らず、建物の外壁や車椅子用のスロープ等屋外に設置することも可能である。また室内に設ける場合でも、壁面Ｗに限らず、据付式のカウンター等の側板や天板あるいは浴槽の縁や洗い場のタイル面から直接ポールを立ち上げるようにして設けることも可能である。
また手摺り１の断面形状は円形に限らず、楕円形や長円形あるいは多角形等種々の形状が採用できる。同様にフランジカバー２１の形状も平面視円環状に限らず、楕円形や長円形あるいは多角形等種々の形状が採用できる。
【００２２】
手摺り１、手摺り止め金具３、１１及びフランジカバー２１におけるカバー本体２７の材料はステンレス鋼等の金属材料に限らず、合成樹脂材料や木材等他の材料を使用することも可能である。
また固定パッキン２９もカバー本体２７と同様に２分割式に構成し、２ヶ所の接合部に接着剤を塗布ないし注入することで固定を図るようにすることも可能である。この場合には固定パッキン２９を更に硬質のプラスチック等によって形成することも可能である。
更に、カバー本体２７は２分割式に限らず、３分割等更に多分割に構成することも可能である。
【００２３】
【発明の効果】
本発明によれば、手摺りの中間の位置に設けられる手摺り止め金具に対してもフランジカバーを装着することが可能となる。また、安全性及びデザイン性が向上し、デザインの統一性も図られる。
またシャフト部とフランジ部との固定を正面側からの隅肉溶接によって行うことが可能になるから手摺り止め金具のコスト削減にも貢献する。
また何らの工具を使用することなく、簡単に装着できるから使用利便性も極めて良好であり、固定パッキンの採用により通常の使用形態では充分使用に耐えられるだけの固定力が得られる。
【図面の簡単な説明】
【図１】本発明の実施の形態に係る手摺りの使用状態を示す斜視図である。
【図２】本発明の実施の形態に係る手摺り止め金具を示す分解斜視図である。
【図３】図２の手摺り止め金具の平面図である。
【図４】図２の手摺り止め金具の側断面図である。
【図５】手摺り止め金具と手摺りが別体に構成されている実施の形態を示す斜視図である。
【図６】手摺り止め金具を一体に備えた従来の手摺りを示す斜視図である。
【図７】シャフト部とフランジ部の従来の接合状態を示す側断面図である。
【符号の説明】
１  手摺り                  ３  手摺り止め金具
５  フランジ部              ７  ビス穴
９  固定ビス              １１  （移動式の）手摺り止め金具
１３  フランジ部            １５  シャフト部
１７  ホルダ部              １９  ビス穴
２１  フランジカバー        ２３  カバー要素
２５  カバー要素            ２７  カバー本体
２９  固定パッキン          ３１  外周側胴部
３３  内周側胴部            ３５  テーパ連接部
３７  クリップ部            ３９  係止爪
４１  挟持翼片              ４３  圧入スリーブ
４５  係止縁部              ４７  切込み部
４９  ビス穴                Ｗ    壁面
Ｊ    溶接部位
【図１】
2004190372.tif 000003
【図２】
2004190372.tif 000004
【図３】
2004190372.tif 000005
【図４】
2004190372.tif 000006
【図５】
2004190372.tif 000007
【図６】
2004190372.tif 000008
【図７】
2004190372.tif 000009